(57)【要約】【課題】冷蔵庫内の庫内灯を取り付ける樹脂成形体の樹脂成形金型費用の低減を図る。【解決手段】照明ランプ１２及びソケット１３からなる庫内灯１４を取り付けるために、照明室の室壁と一体成形された樹脂成形体１０を備え、前記樹脂成形体１０は、複数種の庫内灯１４に対応して、ソケット１３を取り付けるソケット取付部１６と、共通のランプ窓穴１５の穴径とを設定し、複数種の庫内灯に対して共通の樹脂成形体を使用できるようにする。【選択図】図５
2004012109.tif 000002
【特許請求の範囲】
【請求項１】
照明ランプ及びソケットからなる庫内灯を取り付ける樹脂成形体を備え、前記樹脂成形体は、複数種の庫内灯に対応して、前記ソケットを取り付けるソケット取付部と、照明ランプを照明室に臨ませる共通のランプ窓穴とを備えたことを特徴とする冷蔵庫の庫内灯取付装置。
【請求項２】
前記樹脂成形体は、庫内に形成された照明室の室壁をも構成するよう一体成形され、前記ランプ窓穴が照明室の室壁に形成されたことを特徴とする請求項１に記載の冷蔵庫の庫内灯取付装置。
【請求項３】
前記複数種の庫内灯は、その一つがランプねじ込み式のソケットに先端筒状のスカート部がない形式の第１の庫内灯であり、他の一つが、ランプねじ込み式ソケットに先端筒状のスカート部を備えた形式の第２の庫内灯であることを特徴とする請求項１又は２に記載の冷蔵庫の庫内灯取付装置。
【請求項４】
第１の庫内灯がランプのみを前記窓穴を通して照明室に臨むよう配置され、第２の庫内灯は、スカート部も前記窓穴を通して照明室に臨むよう配置されることを特徴とする請求項３に記載の冷蔵庫の庫内灯取付装置。
【請求項５】
第１の庫内灯の消費電力が第２の庫内灯の消費電力よりも大きく設定されたことを特徴とする請求項４に記載の冷蔵庫の庫内灯取付装置。
【請求項６】
前記窓穴の穴径が、第１の庫内灯に対しては、ランプ外周との間に指が入らない程度の大きさとされ、第２の庫内灯に対しては、スカート部の外径よりも大きく設定されたことを特徴とする請求項４に記載の冷蔵庫の庫内灯取付装置。
【請求項７】
前記窓穴の穴径が庫内灯のランプ発熱により軟化しない程度の大きさに設定されたことを特徴とする請求項６に記載の冷蔵庫の庫内灯取付装置。
【発明の詳細な説明】
【０００１】
【発明の属する技術分野】
本発明は、冷蔵庫内に設置されている庫内灯取付装置に関するものである。
【０００２】
【従来の技術】
電気冷蔵庫には、照明ランプ及びソケットからなる庫内灯が設置されているが、近年の販売相手国の多様化により、各国別の安全規格要求に適合する庫内灯取付装置が求められている。
【０００３】
庫内灯の安全規格としては、下記の２種の一般的な国際安全規格が存在する。その第１は、製品となる電気冷蔵庫として安全規格に適合することが求められる。例えば、国際安全規格ＩＥＣ６０３３５−１及びＩＥＣ６０３３５−２−２４がある。
【０００４】
ＩＥＣ６０３３５−１は、家庭用及び類似用途の電気機器の安全性　パート１：一般要求（Ｓａｆｅｔｙ　ｏｆ　ｈｏｕｓｅｈｏｌｄ　ａｎｄ　ｓｉｍｉｌａｒ　ｅｌｅｃｔｒｉｃａｌ　ａｐｐｌｉａｎｃｅｓ．　Ｐａｒｔ　１：Ｇｅｎｅｒａｌ　ｒｅｑｕｉｒｅｍｅｎｔｓ．）である。
【０００５】
ＩＥＣ６０３３５−２−２４は、家庭用及び類似用途の電気機器の安全性　パート２：冷蔵類似機器及びアイスクリーム・製氷機器に関する個別要求（Ｓａｆｅｔｙ　ｏｆ　ｈｏｕｓｅｈｏｌｄ　ａｎｄ　ｓｉｍｉｌａｒ　ｅｌｅｃｔｒｉｃａｌ　ａｐｐｌｉａｎｃｅｓ．Ｐａｒｔ　２：Ｐａｒｔｉｃｕｌａｒ　ｒｅｑｕｉｒｅｍｅｎｔｓ　ｆｏｒ　ｒｅｆｒｉｇｅｒａｔｉｎｇ　ａｐｐｌｉａｎｃｅｓ，ｉｃｅ−ｃｒｅａｍ　ａｐｐｌｉａｎｃｅｓ　ａｎｄ　ｉｃｅ−ｍａｒｋｅｒｓ．）である。
【０００６】
国際安全規格ＩＥＣ６０３３５−１及びＩＥＣ６０３３５−２−２４では、庫内灯の交換時に万一指が充電部に触れない構造を、庫内灯のソケット単体または庫内灯のソケットと周辺の樹脂成形体に要求している。この国際安全規格では、照明ランプの口金の直径については規定がなく、一般にはＥ１２（約１２ｍｍ）のものが用いられている。
【０００７】
第２に、部品として国際安全規格適合を求めらる場合で、例えば、国際安全規格ＩＥＣ６０２３８がある。ＩＥＣ６０２３８は、エジソン　ネジ込み　ランプホルダー（Ｅｄｉｓｏｎ　ｓｃｒｅｗ　ｌａｍｐｈｏｌｄｅｒｓ．）に求められる規格である。この規格によると、庫内灯の交換時に万一指が充電部に触れない構造をソケット単体に要求している。この国際安全規格では、最小の照明ランプ口金直径が実用上Ｅ１４（約１４ｍｍ）とされている。
【０００８】
その一方、照明ランプは、通電により内部のフィラメント部が発熱するので、発熱温度が高いと、周辺の樹脂成形体がその耐熱温度を超えて軟化する懸念がある。
【０００９】
従って、従来の電気冷蔵庫の庫内灯取付装置では、上記国際安全規格に適合させるように、その構成部品である照明ランプ、ソケット及び樹脂成形体を選定配置していたが、庫内灯に複数種類（消費電力も含む）があるため、個別の樹脂成形体を成形して、これに対応していた。
【００１０】
【発明が解決しようとする課題】
しかしながら、庫内灯の種類（消費電力も含む）に応じて個別に樹脂成形体を作成するのは、複数種類の樹脂成形体を用意しなければならず、その製品金型が増加することになり、生産コスト高となる問題がある。
【００１１】
そこで、本発明は、前記２種の各国要求事項に個別に適合させるべく、２種類の庫内灯を使い分け、またそれぞれを同一の樹脂成形体を使用することにより、安全でかつ生産コストの低減が図れる冷蔵庫の庫内灯取付装置の提供を目的とする。
【００１２】
【課題を解決するための手段】
上記目的を達成するため、本発明は、照明ランプ及びソケットからなる庫内灯を取り付ける樹脂成形体を備え、前記樹脂成形体は、複数種の庫内灯に対応して、前記ソケットを取り付けるソケット取付部と、照明ランプを照明室に臨ませる共通のランプ窓穴とを備えたことを特徴とする冷蔵庫の庫内灯取付装置を提供するものである。
【００１３】
上記構成によると、樹脂成形体は、複数種の庫内灯に対応したソケット取付部と共通のランプ窓穴とを備えているので、従来に比べて樹脂成形の樹脂成形体の射出成形用の金型が１つで済み、生産コストの低減が可能となる。
【００１４】
樹脂成形体は、庫内灯を保持固定するものであるため、前記ソケット取付部及び窓穴を備えた構成であれば十分であるが、これに加えて、冷蔵庫の庫内に形成された照明室の室壁をも構成するよう、一体成形することもできる。これにより、冷蔵庫を構成する部品点数が削減でき、また、樹脂成形金型のコストも低減できる。
【００１５】
複数種の庫内灯は、特に限定されるものではないが、その代表的なものを例示すると、その一つがランプねじ込み式のソケットに先端筒状のスカート部がない形式のもの、他の一つとして、ランプねじ込み式ソケットに先端筒状のスカート部を備えた形式のものがある。
【００１６】
両形式に求められる国際安全規格は、スカート部のない庫内灯の取付の場合、窓穴とランプ外周との間に指が入らないことが求められる。スカート部付きの庫内灯の場合、スカート部の内周とランプ外周との間に指が入らないことが求められる。ただ、スカート部付きの庫内灯の場合、スカート部も窓穴を通して照明室側に突出するよう取り付けることになるので、窓穴はスカート部の外径よりも大きいことが求められる。
【００１７】
そこで、窓穴の穴径は、スカートなし庫内灯に対しては、ランプ外周との間に手指の挿入を不能とし、スカート部付きソケットについては、スカート部の外径よりも大きく設定したものを採用すればよい。
【００１８】
また、窓穴の穴径は、ランプ発熱により軟化するのを防止できる程度、換言すれば、ランプ発熱があってもその形状を保つことができる程度の大きさに設定する必要があるが、ランプとこれを囲む樹脂製ソケット及び成形樹脂体の窓穴との間隔に着目すると、共通の窓穴はスカート付きの庫内灯のスカート部も挿入できる穴径に設定しているので、スカートなしの庫内灯を取り付ける場合、スカートの肉厚分、ランプ外周と周辺の窓穴との距離を大きく設定できるとも言える。従って、スカートなしの庫内灯の場合、スカート部付き庫内灯に比べて消費電力の大きいものを使用することができる。
【００１９】
【発明の実施形態】
以下、本発明の実施形態を図面に基づいて説明する。図１は本発明が適用される電気冷蔵庫の正面図である。図に示すように、冷蔵庫本体１は、冷凍室２および冷蔵室３が仕切り壁４によって区切られており、冷凍室２には冷凍室扉５が、冷蔵室３には冷蔵室扉６が、それぞれ取り付けられている。また、仕切り壁４には扉開閉により動作するドアスイッチ７が取り付けられている。
【００２０】
図２は図１の概略的側面断面図、図３は電気冷蔵庫の電気回路図、図４は図１の詳細拡大図である。図２において、冷凍室内２には、その背面の壁の上方に冷却循環用のファンモータ８（図３参照）が設置され、その下部に冷却器９が設置されている。また、冷蔵室３の後部背面下方には、冷媒圧縮用の圧縮電動機２２が設置されている。
【００２１】
冷蔵室内３には、その背面の中央内壁に熱可塑性樹脂により成形された樹脂成形体１０が組立配置されている。この樹脂成形体１０は、庫内の背面内壁を構成すると共に、庫内側に照明室１１が凹設され、照明室１１の室壁を構成している。照明室１１には、照明ランプ１２及びソケット１３からなる庫内灯１４が設けられ、また、前面には、図示しない透光性を有する照明カバーが着脱自在に係着される。
【００２２】
照明室１１の室壁のうち、上部室壁には樹脂成形体１０の裏面側に固定される庫内灯１２のうち、少なくとも照明ランプ１２を照明室１１側に臨ませるランプ窓穴１５が形成されている。この窓穴１５を通して照明ランプ１２が照明室１１から庫内を照明するようになっている。
【００２３】
照明ランプ１２は、フィラメントを内包するランプ部と、ねじ込み式の口金とから構成され、ソケット１３は、前記口金をねじ止めする筒状構造とされ、その外周部に樹脂成形体１０の裏面に形成されたソケット取付部１６に係止するための係止部１７が突出形成されている。
【００２４】
本実施形態では、窓穴１５は、照明ランプ１２の円形断面に合わせて円形に形成されている。その穴径は、複数種類の庫内灯１４に対して、一つの庫内灯１４ｂに対しては、ランプ１２及びソケット１３を貫通でき、かつランプ発熱による周辺の樹脂成形体１０の軟化を防止できる間隙に確保できるように設定され、また、他の一つの庫内灯１４ａに対しては、貫通させたランプ１２の外周との間に手指の挿入を不能とし、かつランプ発熱による周辺の樹脂成形体１０の軟化を防止できる間隙に確保できるように設定されている。これら庫内灯１４ａ、１４ｂの構成については、後述する。
【００２５】
また、ソケット取付部１６は、樹脂成形体１０の裏面で照明室１１の上方室外側に樹脂成形体１０と一体的に形成されている。この取付部１６は、ソケット１３の係止部１７をねじ止めするボス部１８と、係止部を位置決めする位置決めピン１９とが、ソケット１３の胴部を挟んだ両側に間隔をおいて配置されている。さらに、これら取付部１６は、複数種の庫内灯１４に対応してソケット１３の長さ方向（上下方向）に複数個（２個）設置されている。
【００２６】
また、樹脂成形体１０の窓穴１５近傍付近では、設置されるランプ１２と間隔を空ける凹部２１が形成され、ランプ発熱による軟化を回避するようにしている。
【００２７】
庫内灯１４の電気回路は、図３に示すように、電源に対して、ファンモータ８、圧縮電動機２２、及びドアスイッチ７と庫内灯１４の直列接続体が並列に接続されている。照明ランプ１２の動作電流は約０．０５Ａ（２２０Ｖ印加時）である。庫内灯１４は扉開によりドアスイッチ７の接点が閉となって通電制御されて発光し、また発熱する。また、庫内灯１４は、扉閉によりドアスイッチ７の接点が開放されて通電停止し、消灯する。
【００２８】
ここで、複数種の庫内灯１４として代表的なものを挙げる。その一つ（以下、第１の庫内灯１４ａという）がランプ１２をねじ込み式ソケット１３において先端筒状のスカート部がない形式のものである。第１の庫内灯１４ａを取り付ける場合、照明ランプ１２のみを窓穴１５を通して照明室１１に臨ませる取付方法となる。他の一つ（以下、第２の庫内灯１４ｂという）は、ランプ１２をねじ込み式ソケット１３において先端筒状のスカート部２４を備えた形式のものである。第２の庫内灯１４ｂの取り付ける場合、ランプのみならずスカート部２４をも窓穴１５を通して照明室１１に臨ませる取付方法となる。
【００２９】
スカート部２４なしソケット１３を用いた第１の庫内灯１４ａを取り付ける場合について図５〜図８に基づいて説明する。図５は第１の庫内灯１４ａを組込んだ樹脂成形体の庫内側からみた図、図６は図５の平面断面図、図７は図５の裏面図、図８は図５の縦断面図である。図８において、２７はＩＥＣ６０３３５−１規格で定めた、模擬確認用の試験指（テストフィンガー）である。
【００３０】
第１の庫内灯１４ａを取り付ける場合、国際安全規格ＩＥＣ６０３３５−１及びＩＥＣ６０３３５−２−２４によると、図８に示すように、ランプ１３の外周と窓穴１５の内縁との間隔Ｄに指が入らないことが要求される。具体的には、上記国際安全規格ＩＥＣ６０３３５−１及びＩＥＣ６０３３５−２−２４では、照明ランプ１２の口金の直径の規定は無いので、一般的に用いられる照明ランプ１６について説明すると、その口金直径がＥ１２（約１２ｍｍ）で、ランプ外径寸法がＴ２０（２０ｍｍ）である。この寸法の第１庫内灯１４ａを取り付ける場合、窓穴１５との間の距離を指の入らない程度に設定する。
【００３１】
一方、スカート部２４有りのソケット１３を用いた第２の庫内灯１４ｂを取り付ける場合について、図９〜図１２に基づいて説明する。図９は第２の庫内灯１４ｂを組込んだ樹脂成形体の庫内側からみた図、図１０は図９の平面断面図、図１１は図９の裏面図、図１２は図９の縦断面図である。
【００３２】
第２の庫内灯１４ｂを取り付ける場合、国際安全規格ＩＥＣ６０２３８によると、照明ランプ１２の交換時に、ランプ１２とソケットスカート部２４とのの間に指が入らないことが要求され、スカート部２４と窓穴１５との間隙については規定されていない。第２の庫内灯１４ｂは、上記国際安全規格ＩＥＣ６０２３８により、最小の照明ランプ１２の口金直径がＥ１４（約１４ｍｍ）と定められているので、その最小の寸法のものを例示すると、その口金直径がＥ１４（約１４ｍｍ）で、ランプ外径寸法がＴ２０（２０ｍｍ）である。この寸法の第２の庫内灯１４ｂを取り付ける場合、窓穴１５との間隔は、スカート部２４の外径よりも大きい寸法が要求される。
【００３３】
従って、２種類の庫内灯１４ａ、１４ｂに対応する窓穴１５の穴径は、その内縁と第１の庫内灯１４ａのランプ外径との間隙に指が入らない程度の大きさで、かつ第２の庫内灯１４ｂのスカート部２４を通すことができる程度の大きさである。
【００３４】
さらに、樹脂成形体１０のランプ発熱による軟化防止に配慮すれば、第１の庫内灯１４ａのランプ外径と窓穴１５との距離は指が入らない程度で、しかも第２の庫内灯１４ｂのソケットスカート部２４の外径よりも大きく設定されている。一方、第２の庫内灯１４ｂのランプ外径とソケット１３のスカート部２４の内面とは、指が入らない程度に設定されている。共通の窓穴１５は、スカート付きの庫内灯１４ｂのスカート部２４も挿入できる穴径に設定しているので、スカートなしの第１の庫内灯１４ａを取り付ける場合、スカート２４の肉厚分、ランプ外周と周辺の窓穴１５との距離が大きくなるから、第１の庫内灯１４ａの方が第２の庫内灯１４ｂよりもランプ発熱量を大きく設定することができる。
【００３５】
そこで、本実施形態では、第１の庫内灯１４ａ（口金直径Ｅ１２）の消費電力を１５Ｗに設定したものを使用し、第２の庫内灯１４ｂ（口金直径Ｅ１４）については、第１の庫内灯１４ａよりも低い消費電力１０Ｗに設定している。
【００３６】
また、販売相手国によって供給電圧が異なることがある。表１は、第１の庫内灯１４ａ及び第２の庫内灯１４ｂについて、ランプ定格電圧、口金口径、ランプ直径、定格消費電力をまとめたものである。販売相手国に供給する場合には、その国の供給電圧に応じたランプ定格電圧のものを選定すればよい。
【００３７】
【表１】
2004012109.tif 000003
【００３８】
なお、第１の庫内灯１４ａ及び第２の庫内灯１４ｂともに、照明ランプ１２を完全に抜いた際のソケット１３内の先端部への指の充電部接触は、国際安全規格ＩＥＣ６０３３５−１及びＩＥＣ６０３３５−２−２４、又は国際安全規格ＩＥＣ６０２３８の規定により適用除外となっている。
【００３９】
なお、本発明は、上記実施形態に限定されるものではなく、本発明の範囲内で修正・変更を加えることができるのは勿論である。例えば、上記実施形態では２種類の庫内灯についての説明したが、３種類以上の庫内灯についても適用できることは勿論である。また、上記実施形態では、複数種の庫内灯に対応して複数のソケット取付部を設置した例を示したが、共通のソケット取付部を使用するよう構成してもよい。
【００４０】
【発明の効果】
以上の説明から明らかな通り、本発明によれば、複数種の庫内灯に対応して、ソケット取付部と共通のランプ窓穴の穴径とを設定しているので、共通の樹脂成形体を使用することができ、その分、成形金型費用を低減することができる。
【図面の簡単な説明】
【図１】本発明が適用される電気冷蔵庫の正面図である。
【図２】図１に示す電気冷蔵庫の側面断面図である。
【図３】本実施形態の電気冷蔵庫の電気回路図である。
【図４】本実施形態の庫内構造を示す正面図である。
【図５】第１の庫内灯を組立てた樹脂成形体の庫内側からみた図である。
【図６】図５の平面断面図である。
【図７】図５の裏面図である。
【図８】図５の縦断面図である。
【図９】第２の庫内灯を組立てた樹脂成形体の庫内側からみた図である。
【図１０】図９の平面断面図である。
【図１１】図９の裏面図である。
【図１２】図９の縦断面図である。
【符号の説明】
１　冷蔵庫本体
２　冷凍室
３　冷蔵室
４　仕切り壁
５　冷凍室扉
６　冷蔵室扉
７　樹脂成形樹脂成形体
８　冷却用ファンモータ
９　冷却器
１０　樹脂成形体
１２　ランプ
１３　ソケット
１４　庫内灯
１５　窓穴
１６　取付部
２４　スカート部
【図１】
2004012109.tif 000004
【図２】
2004012109.tif 000005
【図３】
2004012109.tif 000006
【図４】
2004012109.tif 000007
【図５】
2004012109.tif 000008
【図６】
2004012109.tif 000009
【図７】
2004012109.tif 000010
【図８】
2004012109.tif 000011
【図９】
2004012109.tif 000012
【図１０】
2004012109.tif 000013
【図１１】
2004012109.tif 000014
【図１２】
2004012109.tif 000015